(57)【特許請求の範囲】
【請求項１】
アップリンク周波数選択スケジューリング方法であって、
基地局は、ユーザ端末ＵＥからサウンディングリファレンス信号ＳＲＳを受信することと、
フィジカル・リソース・ブロックＰＲＢの干渉強度を確定することと、
ＳＲＳチャンネル品質および前記ＰＲＢの干渉強度に基づき、ＰＲＢのスケジューリング優先順位を確定することと、
以下の式 
ＳＰ＝ＳＩＮＲ／（１＋ＰＩ／ＰＮ）
（ここで、ＳＰは前記スケジューリング優先順位であり、ＳＩＮＲは前記ＳＲＳチャンネル品質であり、ＰＮは平均ノイズ出力であり、ＰＩは前記ＰＲＢの干渉強度である）
で表される前記スケジューリング優先順位に基づき、アップリンク周波数選択スケジューリングを行うこととを含む方法。
【請求項２】
前記ＰＲＢの干渉強度は、
前記ＰＲＢの干渉強度を、ＰＲＢの平均出力および全帯域幅におけるＰＲＢの平均出力に基づいて計算することを含み、確定される、請求項１に記載の方法。
【請求項３】
ＰＲＢの干渉強度を確定する前に、干渉されたＰＲＢが下記の手段、即ち、
あるタイムスロットにおける所定のサブキャリアの平均出力と全帯域幅におけるサブキャリアの平均出力との差が予め規定された干渉検出ゲート制限値以上であり、かつ、前記タイムスロットにおける前記サブキャリアの平均出力が予め規定されたアップリンク受信出力ゲート制限値以上であれば、前記サブキャリアは、前記タイムスロットにおいて干渉されていると確定することができる、手段と、
ある予め規定された検出周期において、前記サブキャリアに対する干渉が、Ｎ個のタイムスロットにおけるＰ回の測定サイクルに関して検出されれば、前記サブキャリアは、干渉されていると確定することができ、ここで、Ｐは、Ｎ以下であるものとする、手段と、
前記干渉されたＰＲＢは、前記全帯域幅における干渉されたサブキャリアの分布に基づいて識別される手段と
によって識別される、請求項１に記載の方法。
【請求項４】
前記ＰＲＢの干渉強度は、
前記干渉されたＰＲＢの平均出力および前記全帯域幅におけるＰＲＢの平均出力に基づいて、前記干渉されたＰＲＢにおける干渉強度を計算することと、
前記全帯域幅における干渉されていないＰＲＢは、前記干渉されたＰＲＢを除外することによって確定され、かつ前記干渉されていないＰＲＢの干渉強度は、０と見なされることとを含み、確定される、請求項３に記載の方法。
【請求項５】
アップリンク周波数選択スケジューリングが前記スケジューリング優先順位に基づき行なわれ、
最も高いスケジューリング優先順位を有するＭ個のＰＲＢが、前記ＵＥへアップリンク送信リソースとして割り当てられることを含み、Ｍは、正の整数である、請求項１から請求項４までのいずれか一項に記載の方法。
【請求項６】
前記ＳＲＳチャンネル品質は、前記ＳＲＳチャンネルの推定結果に基づいて確定される、請求項１から請求項４までのいずれか一項に記載の方法。
【請求項７】
アップリンク周波数選択スケジューリング装置であって、
ＵＥにより送信されるＳＲＳを受信するように構成される受信モジュールと、
ＰＲＢの干渉強度を確定するように構成される第１の確定モジュールと、
ＳＲＳチャンネル品質および前記ＰＲＢの干渉強度に基づいてＰＲＢのスケジューリング優先順位を確定するように構成される第２の確定モジュールと、
前記スケジューリング優先順位に基づいてアップリンク周波数選択スケジューリングを行なうように構成されるスケジューリングモジュールとを含み、
前記第２の確定モジュールは、以下の式、
ＳＰ＝ＳＩＮＲ／（１＋ＰＩ／ＰＮ）
（ここで、ＳＰは前記スケジューリング優先順位であり、ＳＩＮＲは前記ＳＲＳチャンネル品質であり、ＰＮは平均ノイズ出力であり、ＰＩは前記ＰＲＢの干渉強度である）
によってＰＲＢのスケジューリング優先順位を確定するように構成される、
装置。
【請求項８】
前記第１の確定モジュールは、前記ＰＲＢの干渉強度をＰＲＢの平均出力および前記全帯域幅におけるＰＲＢの平均出力に基づいて計算するように構成される、請求項７に記載の装置。
【請求項９】
前記装置は、識別モジュールも含み、前記識別モジュールは、前記ＰＲＢの干渉強度を確定する前に、干渉されたＰＲＢを、下記の手段、即ち、
あるタイムスロットにおける所定のサブキャリアの平均出力と全帯域幅におけるサブキャリアの平均出力との差が予め規定された干渉検出ゲート制限値以上であり、かつ、前記タイムスロットにおける前記サブキャリアの平均出力が予め規定されたアップリンク受信出力ゲート制限値以上であれば、前記サブキャリアは、前記タイムスロットにおいて干渉されていると確定することができる手段と、
ある予め規定された検出周期において、前記サブキャリアに対する干渉が、Ｎ個のタイムスロットにおけるＰ回の測定サイクルに関して検出されれば、前記サブキャリアは、干渉されていると確定することができ、ここで、ＰはＮ以下であるものとする、手段と、
前記干渉されたＰＲＢは、前記全帯域幅における干渉されたサブキャリアの分布に基づいて識別される手段と
によって識別するように構成される、請求項７に記載の装置。
【請求項１０】
前記第１の確定モジュールは、前記干渉されたＰＲＢの平均出力および前記全帯域幅におけるＰＲＢの平均出力に基づいて前記干渉されたＰＲＢの干渉強度を計算するように構成され、
前記全帯域幅における干渉されていないＰＲＢは、前記干渉されたＰＲＢを除外することによって確定され、かつ前記干渉されていないＰＲＢの干渉強度は、０と見なされる、請求項９に記載の装置。
【請求項１１】
前記スケジューリングモジュールは、最も高いスケジューリング優先順位を有するＭ個のＰＲＢを前記ＵＥへアップリンク送信リソースとして割り当てるように構成され、Ｍは、正の整数である、請求項７から請求項１０までのいずれか一項に記載の装置。
【請求項１２】
前記ＳＲＳチャンネル品質は、前記ＳＲＳチャンネルの推定結果に基づいて確定される、請求項７から請求項１０までのいずれか一項に記載の装置。
【請求項１３】
コンピュータ読込可能コードを含むコンピュータプログラムであって、前記コンピュータ読込可能コードが前記基地局において動作されると、前記基地局は、請求項１から請求項６までのいずれか一項に記載のアップリンク周波数選択スケジューリング方法を実行する、コンピュータプログラム。
【請求項１４】
請求項１３に記載のコンピュータプログラムを格納するコンピュータ読込可能記憶媒体。
【発明の詳細な説明】
【技術分野】
【０００１】
本発明の実施例は通信技術領域に関連し、特にアップリンク周波数選択スケジューリング方法と装置に関連するものである。
【背景技術】
【０００２】
Ｆ帯域（Time-Divison Long-Term Evolution,TD-LTE）の基地局のアップリンクは隣の異システム基地局（例えば、モバイルコミュニケーショングローバルシステム、（Global System for Mobile communication，GSM）900、分散型コントロールシステム（Distributed Control System，DCS）1800,個人携帯電話システム（Personal Handy-phone System，PHS）基地局）のアップリンクからバレッジ妨害、相互干渉と散雑妨害を受ける可能性があるため、TD-LTEシステムのアップリンク受信信号は強く干渉されることがある。それは、TD-LTE基地局のアップリンク性能にひどく支障がある。
【０００３】
現存技術の中に、工事施工（例えば、アンテナの隔離、アンテナの交換、天井面の調整又はアンチエリミネーター追加搭載）にて、基地局アドレスの異システムによる干渉問題を解決してもいい。しかしながら、基地局アドレスには施工量、施工の難しさ、ＧＳＭ現存ネットへの支障などという問題点があるので、工事施工にて異システムによる干渉問題点を解決するキャリアがない。それに、その他キャリアの基地局からの異システムによる干渉もある。キャリアが単独にネットを構築しているので、その他キャリアの基地局からの干渉は、工事施工にて解決できない。
【０００４】
現存技術の中に、周波数選択スケジューリングにてTD-LTEシステムのアップリンク性能を向上させる可能である。LTEシステムの中の周波数選択スケジューリングにより、無線チャンネル環境における周波数の選択的な衰退による無線転送性能下降の問題点を有効的に解決できる。周波数選択スケジューリングの基本原理は、スケジューリング周期ごとに、それぞれのユーザ端末（User Equipment，UE）にチャンネル品質が一番優れたフィジカルリソースブロック（Physical Resource Block，PRB）のリソースを分配して、スループット・レートとユーザの感知を向上させるようになる。具体的に、基地局（eNodeB）はUEから送信されたサウンディングリファレンス信号（Sounding Reference Signal,SRS）信号に基づき、SRSチャンネルを推定する。チャンネルの推定により、サブバンドのチャンネルの品質を推定してから、サブバンドのチャンネル品質情報により、アップリンク周波数選択スケジューリングを行う。
【０００５】
但し、SRSはUE周期性的に送信され、又は非周期的に送信されるものである。第三世代パートナープロジェクト（3rd Generation Partnership Project，3GPP）プロダクトによにより、周期的な送信の最小周期は５ｍｓとする。非周期的な送信の間隔は長くなる。異システムからのナローバンドの干渉、特に干渉はランダム的、パルス式的、高強度的、干渉信号の持続時間が短く、それに、ある固定的な周波数範囲に発生する。その干渉信号は平坦的ではなく、ＳＲＳ送信周期にカバーできない。従い、ＳＲＳチャンネルの推定による信号対ノイズ干渉比（Signal to Interference plus Noise Ratio,SINR）は狭帯域による干渉影響が反映できない。ＳＲＳチャンネルに基づいて推定した周波数選択スケジューリングは、異システムからの狭帯域による干渉が抑制できない。従い、現存技術は異システムによる干渉問題が解決できない。
【発明の概要】
【発明が解決しようとする課題】
【０００６】
本発明の実施例として解決すべき技術問題について、アップリンク周波数選択スケジューリング方法と装置を提供し、異システムによる干渉の場合に、TD-LTEシステムのアップリンク性能が向上させるようにする。
【課題を解決するための手段】
【０００７】
前述の問題点を解決するために、本発明の実施例では、アップリンク周波数選択スケジューリング方法を開示した。基地局でユーザ端末UEから送信されたサウンディングリファレンス信号ＳＲＳを受信し、フィジカルリソースブロックＰＲＢの干渉強度を確定し、ＳＲＳのチャンネル品質とＰＲＢの干渉強度により、ＰＲＢスケジューリング優先順位を確定し、スケジューリング優先順位により、アップリンク周波数選択スケジューリングを行うことを含める。
【０００８】
優先的にＳＲＳのチャンネル品質とＰＲＢの干渉強度により、ＰＲＢスケジューリング優先順位を確定し、以下のことを含める：
SP＝SINR/（1+PI/PN）
【０００９】
そのうち、SPはスケジューリング優先順位を、SINRはチャンネル品質を、PNは平均ノイズ出力を、PIはＰＲＢの干渉強度を示す。
【００１０】
優先的にフィジカルリソースブロックＰＲＢの干渉強度を確定し、ＰＲＢの平均出力と全帯域幅におけるＰＲＢの平均出力により、ＰＲＢの干渉強度を算出することを含める。
【００１１】
優先的にフィジカルリソースブロックＰＲＢの干渉強度を確定する前に、以下の方式にて干渉されたＰＲＢを識別して、以下のことを含める。
【００１２】
あるサブキャリアはあるタイムスロットの中に平均出力が全帯域幅におけるサブキャリアの平均出力との差は予定された干渉検出ゲートの制限値を上回った場合、又はそれと同様した場合、且つキャリアはタイムスロットの中に平均出力が予定したアップリンク受信出力ゲート制限値を上回った場合、又はそれと同様した場合、サブキャリアはタイムスロットの中に干渉されたことが確定できる。
【００１３】
予定した検出周期において、Ｎつのタイムスロットの推定周期の中に、サブキャリアが干渉されたことをＰ回推定した場合、本サブキャリアが干渉されたサブキャリアだと確定される。そのうち、Ｐ≦Ｎとなる。
【００１４】
全帯域幅における干渉されたサブキャリアの分布に基づき、干渉されたＰＲＢを識別する。
【００１５】
優先的にフィジカルリソースブロックＰＲＢの干渉強度を確定する。干渉されたＰＲＢの平均出力と全帯域幅におけるＰＲＢの平均出力に基づき、干渉されたＰＲＢの干渉強度を計算すること、全帯域幅における干渉されたＰＲＢの以外の干渉されていないＰＲＢを確定し、干渉されていないＰＲＢの干渉強度がゼロだと確定したことを含める。
【００１６】
優先的に、スケジューリング優先順位により、アップリンク周波数選択スケジューリングを行う。UEのために、アップリンク送信リソースとして優先順位が一番高いＭつのＰＲＢを割り当ててスケジューリングする。そのうち、Ｍはプラス整数である。
【００１７】
優先的に、ＳＲＳチャンネル品質はＳＲＳチャンネルの推定された結果により確定されるものである。
【００１８】
上記の問題点を解決するために、本発明の実施例において、アップリンク周波数選択スケジューリングを開示した。受信モジュールとして、ユーザ端末UEからのサウンディングリファレンス信号を受信するもので、一番目の確定モジュールとして、ＰＲＢの干渉強度を確定するもので、二番目のモジュールとして、ＳＲＳチャンネル品質とＰＲＢの干渉強度に基づき、ＰＲＢのスケジューリング優先順位を確定するもので、スケジューリングモジュールとして、スケジューリング優先順位に基づき、アップリンク周波数選択スケジューリングを行うものを含める。
【００１９】
優先的に、二番目の確定されたモジュールは以下の計算式でＰＲＢのスケジューリング優先順位を確定するものである。
SP＝SINR/（1+PI/PN）
【００２０】
そのうち、SPはスケジューリング優先順位を、SINRはチャンネル品質を、PNは平均ノイズ出力を、PIはPRBの干渉強度を示す。
【００２１】
優先的に、一番目の確定されたモジュールはＰＲＢの平均出力と全帯域幅におけるＰＲＢ平均出力によりＰＲＢの干渉強度を計算するものである。
【００２２】
優先的に、前記装置には識別モジュールを含めて、フィジカルリソースブロックＰＲＢの干渉強度を確定する前に以下の方式にて干渉されたＰＲＢを識別する場合に配置する。
【００２３】
あるサブキャリアはあるタイムスロットの中に平均出力が全帯域幅におけるサブキャリアの平均出力との差は予定された干渉検出ゲートの制限値を上回った場合、又はそれと同様した場合、且つキャリアはタイムスロットの中に平均出力が予定したアップリンク受信出力ゲート制限値を上回った場合、又はそれと同様した場合、サブキャリアはタイムスロットの中に干渉されたことが確定できる。
【００２４】
予定した検出周期において、Ｎつのタイムスロットの推定周期の中に、サブキャリアが干渉されたことをＰ回推定した場合、本サブキャリアが干渉されたサブキャリアだと確定される。そのうち、Ｐ≦Ｎとなる。
【００２５】
全帯域幅における干渉されたサブキャリアの分布に基づき、干渉されたＰＲＢを識別する。
【００２６】
優先的に、一番目確定されたモジュールは次通りに配置される。干渉されたＰＲＢの平均出力と全帯域幅におけるＰＲＢ平均出力により、干渉されたＰＲＢの干渉強度を計算するすること、全帯域幅における干渉されたＰＲＢの以外の干渉されていないＰＲＢを確定し、干渉されていないＰＲＢの干渉強度がゼロだと確定したことを含める。
【００２７】
優先的に、スケジューリング優先順位により、アップリンク周波数選択スケジューリングを行う。UEのために、アップリンク送信リソースとして優先順位が一番高いＭつのＰＲＢを割り当ててスケジューリングする。そのうち、Ｍはプラス整数である。
【００２８】
優先的に、ＳＲＳチャンネル品質はＳＲＳチャンネルの推定された結果により確定されるものである。
【００２９】
前記の問題を解決するために、本発明の実施例では、コンピュータープログラムを開示した。コンピューターの読込可能なコードを含める。記載のコンピューターの読込可能なコードが基地局で実行する場合に、記載の基地局で特許請求書に何れかの記載のアップリンク周波数選択スケジューリング方法を実行させる。
【００３０】
前記の問題を解決するために、本発明の実施例では、コンピューターの読込可能な媒質を開示した。そのうち、特許請求書に保護を請求される記載のコンピュータープログラムを含める。
【００３１】
現存技術と比べて、本発明の実施例には以下のメリットを有する。
【００３２】
現存技術の中に、ＳＲＳチャンネルの推定によりアップリンク周波数選択スケジューリングを行う。ＳＲＳチャンネルの推定によるSINRは狭帯域からの干渉による影響を反映できないため、そのアップリンク周波数選択スケジューリング方式では、異システムの狭帯域からの干渉が抑制できない。本発明の実施例の中に、基地局はＳＲＳチャンネル品質とＰＲＢの干渉強度により、ＰＲＢのスケジューリング優先順位を確定する。それにより、アップリンク周波数選択スケジューリングを行う。ＰＲＢの干渉強度では狭帯域からの干渉の状況が反映できるので、従い、本発明の実施例が提供したアップリンク周波数選択スケジューリングは異システムの狭帯域からの干渉が抑制できる。それにより、TD-LTEシステムのアップリンク性能を向上させるようになる。
【図面の簡単な説明】
【００３３】
図１は本発明の実施例１に基づくアップリンク周波数選択スケジューリング方法のプロセス図を示す
図２は本発明の実施例２に基づくアップリンク周波数選択スケジューリング方法の概要図を示す
図３は本発明の実施例３に基づくアップリンク周波数選択スケジューリング装置の構造フレーム概要図を示す
図４は本発明の実施例３に基づくアップリンク周波数選択スケジューリング装置の優先的な構造フレーム概要図を示す
図５は本発明の実施例に基づくアップリンク周波数選択スケジューリング方法を実行するための基地局構造フレーム概要図を示す、及び
図６は本発明の実施例に基づくアップリンク周波数選択スケジューリング方法の実現ためのプログラムコードを保存し携帯するメモリーユニットを示す。
【発明を実施するための形態】
【００３４】
本発明の実施例の前記目的、特徴とメリットを分かりやすく表示させるために、次の通り、図面と具体的な実施方式により、本発明の実施例をさらに詳細に説明する。
【実施例１】
【００３５】
図１を参考に、本発明の実施例１に基づくアップリンク周波数選択スケジューリング方法を示す。以下のことを含める。
【００３６】
ステップ１０２では、基地局がUEからのＳＲＳを受信し、当該基地局がTD-LTE基地局でもいい。
【００３７】
ステップ１０４では、ＰＲＢの干渉強度を確定する。
【００３８】
具体的に、ＰＲＢの平均出力と全帯域幅におけるＰＲＢ平均出力により、干渉されたＰＲＢの干渉強度を計算できる。
【００３９】
本発明の優先的な実例の中に、先行にどちらがＰＲＢより干渉されたＰＲＢであるか識別して、それから、干渉されたＰＲＢの平均出力と全帯域幅におけるＰＲＢ平均出力により、干渉されたＰＲＢの干渉強度が計算できる。干渉されていないＰＲＢ強度がゼロだと見なされる。当該方式により、干渉されていないＰＲＢの干渉強度の計算プロセスを簡潔化にして、干渉強度にによるＰＲＢの優先順位を確定する効率化と関係する。
【００４０】
本発明の実施例における優先的な実例の中に、周波数領域の全帯域幅における干渉テストを通して、干渉されたＰＲＢが識別できる。識別のプロセスとして、基地局で周波数領域に全帯域幅に対して干渉テストを行い、あるサブキャリアはあるタイムスロットの中に平均出力が全帯域幅におけるサブキャリアの平均出力との差は予定された干渉検出ゲートの制限値を上回った場合、又はそれと同様した場合、且つキャリアはタイムスロットの中に平均出力が予定したアップリンク受信出力ゲート制限値を上回った場合、又はそれと同様した場合、サブキャリアはタイムスロットの中に干渉されたことが確定できる。予定した検出周期において、Ｎつのタイムスロットの推定周期の中に、サブキャリアが干渉されたことをＰ回推定した場合、本サブキャリアが干渉されたサブキャリアだと確定される。そのうち、Ｐ≦Ｎとなる。全帯域幅における干渉されたサブキャリアの分布に基づき、干渉されたＰＲＢを識別する。
【００４１】
ステップ１０６では、ＳＲＳチャンネル品質とＰＲＢの干渉強度により、ＰＲＢのスケジューリング優先順位を確定する。
【００４２】
そのうち、ＳＲＳチャンネル品質はＳＲＳチャンネルの推定結果によって確定されたもので、確定方法として、次通りでもいい。基地局がＳＲＳ信号を受信した後、当該ＳＲＳ信号と現地で保存しているＳＲＳリファレンスシリーズと比べて、ＳＲＳチャンネル品質を推定する。
【００４３】
具体的に、下記の計算式にてＰＲＢのスケジューリング優先順位が確定できる。
SP＝SINR/（1+PI/PN）
【００４４】
そのうち、SPはスケジューリング優先順位を、SINRはチャンネル品質を、PNは平均ノイズ出力を、PIはPRBの干渉強度を示す。
【００４５】
本発明の優先的な実例の中に、基地局は受信されたＳＲＳによてチャンネル推定を行い、ＳＲＳチャンネル品質を確定できる。当該ＳＲＳチャンネル品質がアップリンクSINRでもいい。ＰＲＢのアップリンクSINRと干渉強度により、ＰＲＢのスケジューリング優先順位を確定する。ＰＲＢのスケジューリング優先順位の確定原則として、ＰＲＢのアップリンクSINRが同じである場合、ＰＲＢの干渉強度が強くなれば、当該ＰＲＢのスケジューリング優先順位が低くなり、ＰＲＢの干渉強度が弱くなれば、当該ＰＲＢのスケジューリング優先順位が高くなる。干渉されていないＰＲＢのスケジューリング優先順位は干渉されているＰＲＢのスケジューリング優先順位より高い。ＰＲＢの干渉強度が同じである場合、ＰＲＢのアップリンクSINRが大きくなれば、当該ＰＲＢのスケジューリング優先順位が高くなり、ＰＲＢのアップリンクSINRが小さくなれば、当該ＰＲＢのスケジューリング優先順位が低くなる。それによって、確定された優先順位は狭帯域の干渉程度が反映できる。それによるアップリンク周波数選択スケジューリングは異システムの干渉された場合のアップリンク性能を向上させる可能である。
【００４６】
ステップ１０８では、スケジューリング優先順位により、アップリンク周波数選択スケジューリングを行う。
【００４７】
基地局は全帯域幅に、UEのために、アップリンク送信リソースとして優先順位が一番高いＭつのＰＲＢを割り当ててスケジューリングする。そのうち、Ｍはプラス整数である。具体的に、その他方式にてアップリンク周波数選択スケジューリングを行ってもいい。例えば、予め閾値を設定して、優先順位が当該閾値より高いＭつのＰＲＢをアップリンク送信リソースとしてUEに割り当てる。
【００４８】
現存技術の中に、ＳＲＳチャンネルの推定に基づきアップリンク周波数選択スケジューリングを行う。ＳＲＳチャンネル推定に基づいて取得したSINRは狭帯域の干渉影響が反映できないため、当該アップリンク周波数選択スケジューリング方法では、異システムからの狭帯域の干渉影響が抑制できない。本実施例の中に、基地局はＳＲＳチャンネル検出とＰＲＢの干渉強度により、ＰＲＢのスケジューリング優先順位を確定する。それによってアップリンク周波数選択スケジューリングを行う。ＰＲＢの干渉強度は狭帯域の干渉影響が反映できるため、本実施例に提供されたアップリンク周波数選択スケジューリング方法では、狭帯域の干渉影響が抑制できて、TD-LTEシステムのアップリンク性能を向上させるようになる。
【実施例２】
【００４９】
本発明の実施例もアップリンク周波数選択スケジューリングを提供した。当該方法はＦ周波数バンドTD-LTEの基地局の中に適用できる。例えば、Ｆ周波数バンドTD-LTE進化ノードＢ（eNodeB）。当該方法の中に、基地局におけるアップリンクベースバンド処理モジュールは週波数領域内全帯域幅における狭帯域干渉特徴に基づいてリアルタイムに干渉テストを行うことで、狭帯域の干渉及び干渉されたＰＲＢを識別して、干渉されたＰＲＢの干渉強度の情報を計算する。それから、基地局におけるアップリンクスケジューリングモジュールはＳＲＳチャンネル品質情報と干渉されたＰＲＢの干渉強度情報により、アップリンク周波数選択スケジューリングを行う。図２は本発明の実施例２に基づくアップリンク周波数選択スケジューリング概要図を示す。次から図２に基づき本実施例のプロセスを説明する。
【００５０】
基地局はUEから送信されたフィジカルアップリンク共用チャネル（Physical Uplink Shared Channel、PUSCH）、フィジカルアップリンクコントロールチャネル（Physical Uplink Control Channel、PUCCH）を受信して、高速フーリエ変換（Fast Fourier Transform、FFT）を行うことで、アップリンクベースバンドプロセスモジュールはUEから送信されたSRS信号に基づき SRSチャンネル検出を行うことで、PRBごとのSINR情報を計算してから、PRBごとのアップリンクSINR情報をアップリンクスケジューリングモジュールに送信する。
【００５１】
アップリンクベースバンドプロセスモジュールは週波数領域内全帯域幅において、狭帯域干渉特徴に基づいてリアルタイムに干渉テストを行う。それにより、狭帯域干渉及び干渉されたＰＲＢを識別して、干渉されたＰＲＢの干渉強度情報を計算する。次通りに本実施例における狭帯域干渉テスト方法を詳細に説明する。
【００５２】
サブキャリアを粒度としてテストして、あるサブキャリアのタイムスロットにおける全ての符号に対応する出力を平均化にして、当該サブキャリアの当該タイムスロットにおける平均出力を得て、当該平均出力と週波数領域内全帯域幅における平均出力との差が予定した干渉テストゲート制限値を上回って、又はそれと同じである場合、且つ当該サブキャ李のタイムスロットにおける平均出力が予定したアップリンク受信出力ゲート制限値を上回って、又はそれと同じである場合、当該サブキャリアがタイムスロットにおいて干渉されたことを判断する。設定されたテスト周期において、Nつのタイムスロットにおけるテスト周期に、当該サブキャリアが干渉されていることをＰ（Ｐ≦N）回検出した場合、当該サブキャリアが干渉されたサブキャリアだと判断する。全帯域幅における干渉されたサブキャリアの分布情報に基づき、干渉されたＰＲＢを確定する。具体的に、ＰＲＢにおける干渉されたサブキャリア数字が超えた予め検出されたゲート制限値によって、当該ＰＲＢが干渉されることを判断する。干渉されたＰＲＢ平均出力と全帯域幅におけるＰＲＢ平均出力によって、ＰＲＢの干渉強度を計算する。
【００５３】
全帯域幅におけるＰＲＢ平均出力とは、全帯域幅において含めているサブキャリアごとの平均出力の平均値だと定義する。干渉されたＰＲＢ平均出力とは、干渉されたＰＲＢに含めているサブキャリアごとの平均出力の平均値だと定義する。全帯域幅におけるＰＲＢ平均出力は全帯域幅におけるサブキャリア平均出力と同様する。
【００５４】
一旦、アップリンクベースバンドプロセスモジュールは狭帯域が干渉されていることを検出したら、干渉されたＰＲＢ情報及びその干渉強度情報をアップリンクケジューリングモジュールに送信する。
【００５５】
アップリンクケジューリングモジュールはＰＲＢごとのアップリンクSINR情報と干渉されたＰＲＢの干渉強度情報により、ＰＲＢごとのケジューリング優先順位を確定する。ＰＲＢケジューリング優先順位により、UEにリソースを割り当てることで、ＳＲＳ情報と干渉上に基づくアップリンク周波数選択スケジューリングを実現させる。本実施例の中に、ＰＲＢスケジューリング優先順位は、ＰＲＢの干渉された強度が反映できる。ＳＲＳチャンネル品質が同様する場合、ＰＲＢの干渉された強度が大きければ、そのスケジューリング優先順位が低くなり、ＰＲＢの干渉された強度が小さければ、そのスケジューリング優先順位が高くなる。
【００５６】
具体的に、ＰＲＢのスケジューリング優先順位は以下の計算式で計算できる。
SP＝SINR/（1+PI/PN）
【００５７】
そのうち、SPはPRB優先順位を、SINRはSRSチャンネル品質を、PNは平均ノイズ出力を、PIはPRBの干渉強度（即ち、干渉出力）を示す。
【００５８】
現存技術のＳＲＳに基づく周波数選択スケジューリング方法では、狭帯域による干渉影響が反映しにくい。干渉されたＰＲＢのスケジューリング優先順位が高い可能性がある。それに、アップリンク性能にひどい影響を与える。本実施例のアップリンク周波数選択スケジューリング方法では、ＰＲＢの干渉強度情報を考慮している。UEごとに、割り当てるＰＲＢの異システムによる干渉強度が大きければ、そのスケジューリング優先順位が低くくなる。逆になると、同様である。それで、スケジューリング周期ごとに、UEごとに割り当てるＰＲＢリソースはチャンネル品質が一番優れているＰＲＢリソースとなる。それにより、異システムの強い干渉を抑制させて、特にお互いのスケジューリングによる干渉を抑制して、ラジオリモートユニット（Radio Remote Unit，RRU）の非正常実行のブロッキング干渉を発生させないようになる。従い、現存のＳＲＳに基づく周波数選択スケジューリング方法に対して、本実施例では、異システムの強い干渉を有効的に抑制させて、団地の取扱量とユーザ体験を向上させる可能である。
【実施例３】
【００５９】
本発明実施例はアップリンク周波数選択スケジューリング装置も提供した。当該装置は前記方法の実現に用いられる。従い、前記方法の実施例における特徴は本実施例に応用させる可能である。当該装置は基地局又は基地局の一部でもいい。図３は本発明実施例３に基づくアップリンク周波数選択スケジューリング装置の構造フレーム図である。図３のように、当該装置には次通りのものを含める。
【００６０】
受信モジュール３０２はUEからのＳＲＳの受信として配置される。
【００６１】
一番目確定モジュール３０４はＰＲＢの干渉強度確定として配置される。
【００６２】
二番目確定モジュール３０６はＳＲＳチャンネル品質と干渉されるＰＲＢの干渉強度に基づき、ＰＲＢのスケジューリング優先順位を確定するように配置される。
【００６３】
スケジューリングモジュール３０８は、スケジューリング優先順位に基づいて、アップリンク周波数選択スケジューリングを行うように配置する。
【００６４】
本発明実施例の優先的な実施例に、二番目確定モジュール３０６は以下の計算式でＰＲＢのスケジューリング優先順位を確定するように配置する。
SP=SINR/(1+PI/PN)
【００６５】
そのうち、SPはPRB優先順位を、SINRはSRSチャンネル品質を、PNは平均ノイズ出力を、PIはPRBの干渉強度（即ち、干渉出力）を示す。
【００６６】
本発明実施例の優先的な実施例に、一番目確定モジュール３０４はＰＲＢの平均出力と全帯域幅におけるＰＲＢ平均出力に基づき、ＰＲＢの干渉強度を計算するように配置する。
【００６７】
本発明実施例の優先的な実施例に、図４は本発明実施例３に基づくアップリンク周波数選択スケジューリング装置の優先的な構造フレーム図で、図4のように前記装置には識別モジュール４０２を含める。それはＰＲＢの干渉強度を確定する前に、以下の方式にて干渉されたＰＲＢを識別するように配置する。
【００６８】
あるサブキャリアはあるタイムスロットの中に平均出力が全帯域幅におけるサブキャリアの平均出力との差は予定された干渉検出ゲートの制限値を上回った場合、又はそれと同様した場合、且つキャリアはタイムスロットの中に平均出力が予定したアップリンク受信出力ゲート制限値を上回った場合、又はそれと同様した場合、サブキャリアはタイムスロットの中に干渉されたことが確定できる。
【００６９】
予定した検出周期において、Ｎつのタイムスロットの推定周期の中に、サブキャリアが干渉されたことをＰ回推定した場合、本サブキャリアが干渉されたサブキャリアだと確定される。そのうち、Ｐ≦Ｎとなる。
【００７０】
全帯域幅における干渉されたサブキャリアの分布に基づき、干渉されたＰＲＢを識別する。
【００７１】
本発明の優先的な実施例の中に、一番目確定モジュール３０４は次通りに配置される。干渉されたＰＲＢの平均出力と全帯域幅におけるＰＲＢ平均出力によって干渉されたＰＲＢの干渉強度を計算すること、全帯域幅における干渉されたＰＲＢ以外のＰＲＢが干渉されていないＰＲＢだと確定し、干渉されていないＰＲＢの干渉強度はゼロだと確定すること。
【００７２】
本発明の優先的な実施例の中に、スケジューリングモジュール３０８はUEのために、アップリンク送信リソースとして優先順位が一番高いＭつのＰＲＢを割り当ててスケジューリングするように配置する。そのうち、Ｍはプラス整数である。
【００７３】
本発明の優先的な実施例の中に、ＳＲＳチャンネル品質はＳＲＳチャンネル推定結果によって確定される。
【００７４】
現存技術の中に、ＳＲＳチャンネル検出によってアップリンク周波数選択スケジューリングを行う。ＳＲＳチャンネル推定に基づいて取得したSINRは狭帯域の干渉された影響が反映できない。従い、そのようなアップリンク周波数選択スケジューリング方法では、異システムからの狭帯域干渉が抑制できない。本実施例の中に、基地局はＳＲＳチャンネル品質とＰＲＢの干渉強度によって、ＰＲＢのスケジューリング優先順位を確定する。それによって、アップリンク周波数選択スケジューリングを行う。ＰＲＢの干渉強度が狭帯域の干渉状況が反映できるため、本実施例が提供されたアップリンク周波数選択スケジューリング方法では、異システムからの狭帯域干渉が抑制可能で、TD-LTEシステムのアップリンク性能を向上させる可能である。
【００７５】
本説明書の中に、何れかの実施例でも累加方式で説明する。何れかの実施例でも、その他実施例と異なるところを説明し、実施例間に同様し類似する部分はお互いに参考すればいい。システムの実施例にとっては、基本的に方法実施例と類似するので、簡単に説明し、関係する部分は方法実施例に関わる説明を参考すればいい。
【００７６】
ここで提供した算出方法と表示は何れかの特定のコンピューター、バーチャルシステム又はその他設備に関係しない。通用システムもここで表示されるものと共同に利用すればいい。前記の説明に基づき、システムに要求された構造が明らかである。それ以外に、本発明は何れかの特定のプログラミング言語を対象にするわけではない。何れかのプログラミング言語でもここで記載の本発明の内容が実現できる。前記のように特定言語を説明するのは、本発明開示の最適な実施方式となる。
【００７７】
ここで提供した説明書の中に、沢山の具体的詳細を説明した。しかしながら、本発明の実施例では、具体的な詳細がない場合に実践できることが理解できる。本説明書をしっかり理解させるように、公知の方法、構造と技術を詳細に開示していない実施例がある。
【００７８】
同様に、本開示説明書を簡潔化にして、各発明の一つ又は複数部分を理解させるために、上記の本発明のサンプル的な実施例の説明の中に、本発明の各特徴を単独に一つの実施例、図、又はその説明の中に分けながら説明するように理解すべきである。しかしながら、本開示の方法を以下の意図に反映させるわけではない。つまり、保護対象としての本発明の請求は特許請求書の中に明確に記載される特徴より多い。正確に言えば、下記の特許請求書で示されたように、発明に関して前に開示した単独な実施例の全ての特徴より少ない。従い、具体的な実施方式に従う特許請求書は、明確に具体的な実施方式と合弁して、そのうち、特許請求のそのものは本発明の単独な実施例とする。
【００７９】
本分野に関係する技術者として次のことが理解できる。実施例の中の設備におけるモジュールに対して自己適応的に変更できて、且つそれらを当該実施例と異なる一つ又は複数の説明の中に設置できる。実施例の中のモジュール又はユニット又は部品を一つのモジュール又はユニット又は部品として構成できる。それ以外に、それらを複数のサブモジュール又はサブユニット、サブ部品に分けられる。そのような特徴及び/又はプロセス又はユニットの少なくともお互いに排斥する以外に、何れかの組み合わせ方式でも、本説明書（含、付随の特許請求、摘要と付図）の中に開示した全ての特徴及びそのように開示した何れかの方法又は設備の全てのプロセス又はユニットを組み合わせる可能である。別途に明確に陳述する以外に、本説明書（含、付随の特許請求、摘要と付図）の中に開示した何れかの特徴は同じ、同様又は類似する交替の特徴により交替してもいい。
【００８０】
それ以外に、本領域に関する技術者は次通りに理解できる。その他実施例も含めてここで記載の実施例の中に含められるある特徴はその他特徴ではないが、異なる実施例の特徴の組み合わせでは、本発明の対象範囲にあり、異なる実施例を形成することを意味する。例えば、以下の特許請求書の中に、保護を請求される実施例の何れかの一つでも、何れかの組み合わせ方式でも利用できる。
【００８１】
本発明の各部品の実施例はハードウェアで実現できて、又は一つ又は複数のプロセッサに実行するソフトウェアモジュールで実現できて、又はそれらの組み合わせ方式にて実現できる。本分野に関わる技術者は次通りに理解すべきである。実践の際に、マイクロプロセッサ又はデジタルシグナルプロセッサ（ＤＳＰ）にて本発明実施例に基づくアップリンク周波数選択スケジューリングの設備におけ一部の機能又は全部の部品の一部又は全部機能が実現できる。本発明は、ここで記載の方法の一部又は全部の設備或いは装置プログラム（例えば、コンピュータープログラムとコンピュータープログラム製品）の実行に適用するように実現できる。それによって、本発明のプログラムはコンピューターの読込可能な媒質に保存し、又は一つ又は複数の信号の形式として存在してもいい。そのような信号は、インターネットのサイトからダウンロードして取得できて、又はキャリアーシグナルにて提供し、又は何れかの形式で提供できる。
【００８２】
例えば、図５は本発明の実施例に基づくアップリンク周波数選択スケジューリングを実施するための基地局の構造フレーム図を示す。基本的に、当該基地局には、プロセッサ５１０とメモリ５２０形式のコンピュータープログラム製品又はコンピューター読込可能媒質を含める。メモリ５２０は、フラッシュメモリ、EEPROM（電気的消去可能プログラマブル読み取り専用メモリ）、ERPOM、ハードディスク又はROMのような電子メモリでもいい。メモリ５２０は前記方法における何れかの方法ステップのプロセスコード５３１を実行するためのメモリスペース５３０を有する。例えば、プログラムコードに用いられるメモリスペース５３０はそれぞれ前記方法の何れかのステップを実現するためのそれぞれのプログラムコード５３１を含めてもいい。それらのプログラムコードは一つ又は複数コンピュータープログラムの中から読み出し、又は一つ又は複数コンピュータープログラム製品の中へ書き込んでもいい。それらのコンピュータープログラム製品には、ハードディスク、コンパクトディスク（CD）、メモリカード又はソフトディスクのようなプログラムコードキャリアーを含める。一般的に、そのようなコンピューター製品は参考図６のような携帯式又は固定式メモリユニットでもいい。当該メモリユニットは図５のような基地局の中のメモリ５２０のレイアウトと類似するメモリ段、メモリスペースなどを有してもいい。プログラムコードは適当な形式で圧縮してもいい。通常、メモリユニットには、コンピューター読込可能コード５３１を含める。５１０のようなプロセッサで読み込むコードでもいい。それらのコードは基地局より実行される場合に、当該基地局によって前記の方法の中の各ステップを実行させる。
【００８３】
本書に述べられた「一つの実施例」、「実施例」又は「一つ又は複数実施例」とは、実施例で述べられた特定の特徴、構造又は特性に基づく、本発明の少なくとも一つの実施例の中に含める。それ以外に、ここで記載の「一つの実施例において」という表現は同じ実施例を指すわけではないことを注意すべきである。
【００８４】
以上のことで、本発明の実施例で提供されたアップリンク周波数選択スケジューリングを詳細に説明した。本書の中に具体的な実例を利用して、本発明の実施例の原理及び実施方式を述べた。上記の実施例の説明内容は、本発明の実施例の方法及びそのコア考え方への理解に用いられるだけである。それに、本領域に関わる一般的な技術者にとっては、本発明の実施例の考え方に基づき、具体的な実施方式及び応用範囲に、変更されるところがある。以上のように、本説明書の内容は本発明の実施例に制限されるものだと理解しないこと。
【図１】
0006446129.tif 000002
【図２】
0006446129.tif 000003
【図３】
0006446129.tif 000004
【図４】
0006446129.tif 000005
【図５】
0006446129.tif 000006
【図６】
0006446129.tif 000007